(57)【要約】【課題】本発明は、長年保存されたフィルムであっても、フィルムに定着されている画像を良好に取り出すことの可能なフィルムスキャン装置の提供を目的とする。【解決手段】本発明のフィルムスキャン装置は、筒状であり、当該筒の側面が光を透過しかつフィルム９１を配置可能であり、当該筒の中心を軸に回転する回転ドラム１１と、回転ドラム１１の少なくとも一部の側面に向けて光を照射する光源１２と、回転ドラム１１及び回転ドラム１１上のフィルム９１を透過した光源１２からの光を受光するカメラ１３と、を備える。【選択図】図１
2014230063.tif 000002
【特許請求の範囲】
【請求項１】
筒状であり、当該筒の側面が光を透過しかつフィルムを配置可能であり、当該筒の中心を軸に回転する回転ドラムと、
前記回転ドラムの少なくとも一部の側面に向けて光を照射する光源と、
前記回転ドラム及び前記回転ドラム上のフィルムを透過した前記光源からの光を受光するカメラと、
を備えるフィルムスキャン装置。
【請求項２】
前記回転ドラムのうちのフィルムを載せる側面は、前記光源からの光を拡散させる光拡散部を備えることを特徴とする請求項１に記載のフィルムスキャン装置。
【請求項３】
筒状であり、当該筒の側面が光を反射しかつフィルムを配置可能であり、当該筒の中心を軸に回転する回転ドラムと、
前記回転ドラムの少なくとも一部の側面に向けて光を照射する光源と、
前記回転ドラム上のフィルムを透過しかつ前記回転ドラムで反射された前記光源からの光を受光するカメラと、
を備えるフィルムスキャン装置。
【請求項４】
フィルムの湾曲方向と前記回転ドラムの湾曲方向が一致し、かつ、フィルムに対して重力方向に前記回転ドラムの側面が配置される
ことを特徴とする請求項１から３のいずれかに記載のフィルムスキャン装置。
【請求項５】
前記回転ドラムと同じ方向に回転して前記回転ドラムへフィルムを供給する送り側ドラムと、
前記回転ドラムと同じ方向に回転して前記回転ドラムのフィルムを巻き取る巻き取り側ドラムと、
前記回転ドラムと前記送り側ドラムの間のフィルムに予め定められたたるみがあるか否かを検出する送り側センサと、
前記回転ドラムと前記巻き取り側ドラムの間のフィルムに予め定められたたるみがあるか否かを検出する巻き取り側センサと、
をさらに備えることを特徴とする請求項４に記載のフィルムスキャン装置。
【請求項６】
フィルムを前記回転ドラムの側面に押さえ付ける押圧部をさらに備える
ことを特徴とする請求項１から５のいずれかに記載のフィルムスキャン装置。
【請求項７】
前記光源は、前記回転ドラムの側面の曲率に合わせて湾曲した出射面を有する面光源であることを特徴とする請求項１から６のいずれかに記載のフィルムスキャン装置。
【発明の詳細な説明】
【技術分野】
【０００１】
本発明は、フィルムに定着されている画像を画像データに変換するフィルムスキャン装置に関する。
【背景技術】
【０００２】
フィルムの画像をデータ化するフィルムスキャン装置が提案されている（例えば、特許文献１及び２参照。）。特許文献１及び２のフィルムスキャン装置は、フィルムを平板上に固定し、光源からの透過光をシャッターで撮像する。
【０００３】
フィルムは巻かれた状態で保存されているため、スキャンを行うフィルムは湾曲している。特許文献１及び２のフィルムスキャン装置は、フィルムを平板上に固定するため、湾曲しているフィルムを伸ばす機構が必要であった。
【先行技術文献】
【特許文献】
【０００４】
【特許文献１】特開２００４−１６６０２６号公報
【特許文献２】特開２０１０−１９３４１９号公報
【発明の概要】
【発明が解決しようとする課題】
【０００５】
長年保存されたフィルムは、劣化によって柔軟性や強度が落ちている場合がある。このようなフィルムを平らに伸ばすと、フィルムが傷んだり、フィルムに定着されている画像が劣化したりして、フィルムに定着されている画像を良好に取り出すことができない可能性がある。
【０００６】
本発明は、長年保存されたフィルムであっても、フィルムに定着されている画像を良好に取り出すことの可能なフィルムスキャン装置の提供を目的とする。
【課題を解決するための手段】
【０００７】
本発明のフィルムスキャン装置は、筒状の回転ドラム上にフィルムを載せた状態でフィルムに定着されている画像を撮像する。
【０００８】
具体的には、本発明のフィルムスキャン装置は、筒状であり、当該筒の側面が光を透過しかつフィルムを配置可能であり、当該筒の中心を軸に回転する回転ドラムと、前記回転ドラムの少なくとも一部の側面に向けて光を照射する光源と、前記回転ドラム及び前記回転ドラム上のフィルムを透過した前記光源からの光を受光するカメラと、を備える。
【０００９】
本発明のフィルムスキャン装置では、前記回転ドラムのうちのフィルムを載せる側面は、前記光源からの光を拡散させる光拡散部を備えていてもよい。
【００１０】
具体的には、本発明のフィルムスキャン装置は、筒状であり、当該筒の側面が光を反射しかつフィルムを配置可能であり、当該筒の中心を軸に回転する回転ドラムと、前記回転ドラムの少なくとも一部の側面に向けて光を照射する光源と、前記回転ドラム上のフィルムを透過しかつ前記回転ドラムで反射された前記光源からの光を受光するカメラと、を備える。
【００１１】
本発明のフィルムスキャン装置では、フィルムの湾曲方向と前記回転ドラムの湾曲方向が一致し、かつ、フィルムに対して重力方向に前記回転ドラムの側面が配置されていてもよい。
【００１２】
本発明のフィルムスキャン装置では、前記回転ドラムと同じ方向に回転して前記回転ドラムへフィルムを供給する送り側ドラムと、前記回転ドラムと同じ方向に回転して前記回転ドラムのフィルムを巻き取る巻き取り側ドラムと、前記回転ドラムと前記送り側ドラムの間のフィルムに予め定められたたるみがあるか否かを検出する送り側センサと、前記回転ドラムと前記巻き取り側ドラムの間のフィルムに予め定められたたるみがあるか否かを検出する巻き取り側センサと、をさらに備えていてもよい。
【００１３】
本発明のフィルムスキャン装置では、フィルムを前記回転ドラムの側面に押さえ付ける押圧部をさらに備えていてもよい。
【００１４】
本発明のフィルムスキャン装置では、前記光源は、前記回転ドラムの側面の曲率に合わせて湾曲した出射面を有する面光源であってもよい。
【００１５】
なお、上記各発明は、可能な限り組み合わせることができる。
【発明の効果】
【００１６】
本発明によれば、長年保存されたフィルムであっても、フィルムに定着されている画像を良好に取り出すことの可能なフィルムスキャン装置を提供することができる。
【図面の簡単な説明】
【００１７】
【図１】実施形態１に係るフィルムスキャン装置の構成の概略を示す正面図である。
【図２】実施形態１に係るフィルムスキャン装置の構成の概略を示す側面図である。
【図３】光源の第２の配置例を示す。
【図４】光源の第３の配置例を示す。
【図５】実施形態２に係るフィルムスキャン装置の構成例を示す。
【図６】フィルムに予め定められたたるみがあるか否かを検出するセンサの配置例を示す。
【図７】実施形態３に係る回転ドラム１１の回転機構の概略を示す正面図である。
【図８】実施形態３に係る回転ドラム１１の回転機構の概略を示す側面図である。
【図９】実施形態３に係る回転ドラム１１の第２の回転機構の概略を示す正面図である。
【図１０】回転ドラム１１の側面にフィルムを押し付けるプーリーを備える回転ドラムの回転機構の概略を示す正面図である。
【図１１】実施形態４に係るフィルムスキャン装置の一例を示す。
【図１２】ストッパーを下げた後の実施形態４に係るフィルムスキャン装置の一例を示す。
【図１３】実施形態５に係るフィルムの先端部分及びローディングヘッドの拡大図を示す。
【発明を実施するための形態】
【００１８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１９】
（実施形態１）
図１及び図２に、本実施形態に係るフィルムスキャン装置の構成例を示す。本実施形態に係るフィルムスキャン装置は、回転ドラム１１と、光源１２と、カメラ１３と、を備える。図１ではフィルム９１を示したが、図２では理解の容易のためにフィルム９１を省略した。
【００２０】
回転ドラム１１は、筒状であり、当該筒の側面１１１が光を透過しかつフィルム９１を配置可能である。フィルム９１に対して重力方向ｇに回転ドラム１１の側面１１１が配置される。フィルム９１の湾曲方向と回転ドラム１１の湾曲方向が一致することが好ましい。
【００２１】
ここで、回転ドラム１１のうちのフィルムを載せる側面１１１は、光源１２からの光を拡散させる光拡散機能を備えることが好ましい。光拡散機能は、例えば、側面１１１をすりガラスにすることで得られる。また、フィルム９１が回転ドラム１１の側面１１１から滑り落ちるのを防ぐために、側面１１１の両脇に、フィルム９１の厚さよりも高いフィルムガイドを備えることが好ましい。
【００２２】
光源１２は、回転ドラム１１の少なくとも一部の側面１１１に向けて光を照射する。カメラ１３は、回転ドラム１１及び回転ドラム１１上のフィルム９１を透過した光源１２からの光を受光することで、フィルム９１に定着された画像を撮像する。
【００２３】
ここで、光源１２は、回転ドラム１１の側面に均一な強度の光を照射する面光源であることが好ましい。例えば、回転ドラム１１の側面の曲率に合わせて湾曲した出射面を有する面光源である。
【００２４】
回転ドラム１１は、筒の中心を軸に回転する。これにより、側面１１１に配置されたフィルム９１が送られ、フィルム９１に定着されている画像の各コマを順次撮像することができる。カメラ１３の撮像した画像データを取り出すことで、フィルム９１に定着された各コマの画像を画像データに変換することができる。フィルム９１が湾曲していることに起因する、画像のゆがみが予想されるが、このゆがみについては画像処理を用いて修正すればよい。
【００２５】
図１ではカメラ１３が１台であるが、カメラ１３は複数台であってもよい。また、カメラ１３の撮像する画像のコマは１つだけに限らず複数であってもよい。この場合、画像処理を用いて各コマの画像を取り出す。
【００２６】
図１では回転ドラム１１の内側に光源１２を配置したが、回転ドラム１１の外側に光源１２を配置してもよい。この場合は、図３に示すように、回転ドラム１１の内側にミラーを配置して、光源１２からの光を回転ドラム１１の側面に反射させる。
【００２７】
図１では回転ドラム１１の側面１１１を透過した光をカメラ１３で受光する構成について説明したが、図４に示すように、回転ドラム１１の側面１１１で反射した光をカメラ１３で受光してもよい。この場合、光源１２が側面１１１の外側に光を照射し、回転ドラム１１の筒の側面１１１が光を反射し、カメラ１３が回転ドラム１１上のフィルム９１を透過しかつ回転ドラム１１の側面１１１で反射された光源１２からの光を受光する。
【００２８】
なお、本実施形態では、スキャンの完了したフィルムを巻き取り側ドラム１６を用いて巻き取る形態について説明したが、これに限定されない。例えば、巻き取り側ドラム１６に代えて、回転ドラム１１の下に、スキャンの完了したフィルムを収容する箱を備えてもよい。
【００２９】
（実施形態２）
図５に、本実施形態に係るフィルムスキャン装置の構成例を示す。本実施形態に係るフィルムスキャン装置は、実施形態１で説明した回転ドラム１１、光源１２及びカメラ１３に加え、さらに、送り側ドラム１５及び巻き取り側ドラム１６を備える。
【００３０】
送り側ドラム１５は、回転ドラム１１と同じ方向に回転して回転ドラム１１へフィルム９１を供給する。巻き取り側ドラム１６は、回転ドラム１１と同じ方向に回転して回転ドラム１１のフィルム９１を巻き取る。送り側ドラム１５、回転ドラム１１及び巻き取り側ドラム１６のすべてが同じ方向に回転してフィルム９１を送るため、フィルム９１の湾曲方向と各ドラムへの巻き付け方向とを一致させることができる。このため、フィルム９１への負荷を減らすことができる。
【００３１】
さらに、フィルム９１がドラム間で引っ張られることを避けるため、回転ドラム１１と送り側ドラム１５の間及び回転ドラム１１と巻き取り側ドラム１６の間のフィルム９１をたるませることが好ましい。そこで、ドラム間のフィルム９１のたるみを維持するための機構を備えることが好ましい。
【００３２】
例えば、フィルム９１のたるみがなくなってきたときにフィルム９１と接触するストッパー２１及び２２を備えることが好ましい。フィルム９１に張力が加わることを避けるため、フィルム９１の動きに合わせてストッパー２１及び２２が移動することが好ましい。
【００３３】
また、図６に示すように、フィルム９１に予め定められたたるみがあるか否かを検出するセンサ２３−１、２３−２を、ストッパー２１の付近に備えてもよい。ストッパー２１の付近に設けられたセンサ２３−１、２３−２は、送り側センサとして機能し、回転ドラム１１と送り側ドラム１５の間のフィルム９１に予め定められたたるみがあるか否かを検出する。ストッパー２１に代えてストッパー２２の付近にセンサ２３−１、２３−２を設けた場合は、センサ２３−１、２３−２は巻き取り側センサとして機能し、回転ドラム１１と巻き取り側ドラム１６の間のフィルム９１に予め定められたたるみがあるか否かを検出する。
【００３４】
センサ２３−１及び２３−２は、例えば距離測定センサであり、センサ２３−１及び２３−２を結ぶ直線上のどの位置にフィルム９１が配置されているかを測定する。センサ２３−１からの距離が予め定められた距離よりも近いか、センサ２３−２からの距離が予め定められた距離よりも遠い場合、たるみがなくなったことを検出する。なお、図６では、フィルム９１の上下両面にセンサを設ける構成としたが、フィルム９１の上面に配置されるセンサ２３−１だけを備えてもよいし、フィルム９１の下面に配置されるセンサ２３−２だけを備えてもよい。また、センサ２３−１及び２３−２の位置は、ストッパー２１又は２２の付近に限らず、フィルム９１の位置を測定可能な任意の位置に配置可能である。
【００３５】
本実施形態では、回転ドラム１１の両側で、自重で垂れ下がっているフィルム９１の位置を、回転ドラム１１に対して決められた位置に制御することが好ましい。そのために、送り側ドラム１５及び巻き取り側ドラム１６は、独立に制御可能であることが好ましい。例えば、回転ドラム１１と送り側ドラム１５の間のフィルム９１のたるみが少なくなった場合、送り側ドラム１５の回転速度を下げる。回転ドラム１１と送り側ドラム１５の間のフィルム９１のたるみが多すぎる場合、送り側ドラム１５の回転速度を上げる。回転ドラム１１と巻き取り側ドラム１６の間のフィルム９１のたるみが少なくなった場合、巻き取り側ドラム１６の回転速度を下げる。回転ドラム１１と巻き取り側ドラム１６の間のフィルム９１のたるみが多すぎる場合、巻き取り側ドラム１６の回転速度を上げる。
【００３６】
（実施形態３）
本実施形態に係るフィルムスキャン装置は、回転ドラム１１の回転機構を備える。図７及び図８に、本実施形態に係る回転ドラム１１の回転機構の一例を示す。本実施形態に係る回転ドラム１１の回転機構は、プーリー３１及び３２を備える。
【００３７】
プーリー３１は回転ドラム１１の筒の側面の内壁に当節し、プーリー３２は回転ドラム１１の筒の側面の外壁に当節し、プーリー３１とプーリー３２で回転ドラム１１の筒の側面を挟む。プーリー３１及び３２は回転可能であり、いずれかのプーリーが動力を得て回転する。これにより、回転ドラム１１が回転する。
【００３８】
回転ドラム１１は、プーリー３１又は３２を回転ドラム１１の側面１１１に押し付けるバネを備えていても良い。例えば、図９に示すように、回転ドラム１１は、回転バネを有する固定軸３３を備え、固定軸３３に取り付けられた回転バネの先端にプーリー３２が固定される。回転バネの力を均等にすることで、プーリー３２が回転ドラム１１を押す力を均等にすることができる。
【００３９】
さらに図１０に示すように、回転ドラム１１は、回転ドラム１１の側面にフィルム９１を押し付けるプーリー３４を備えることが好ましい。プーリー３４は、回転ドラム１１の上面にフィルム９１が密着するように押し付ける。このため、回転ドラム１１の上面中央を挟んで両側にプーリー３４を設けることが好ましい。この２つのプーリー３４は、フィルム９１を回転ドラム１１の上面中央に寄せる方向には回転せず、フィルム９１を回転ドラム１１の上面中央から遠ざける方向にのみ回転することがことが好ましい。また、２つのプーリー３４は、フィルム９１を回転ドラム１１の上面中央から遠ざける方向に、互いに逆方向に力が加えられることが好ましい。
【００４０】
またプーリー３４は、フィルムローディングのときは跳ね上がっていて、フィルム９１がローディングされた後に回転ドラム１１に接するように下がることが好ましい。また、プーリー３４は、フィルム９１の幅全体ではなく、フィルムを送るために穴が設けられているパーフォレーションの部分を押さえることが好ましい。
【００４１】
（実施形態４）
図１１に、本実施形態に係るフィルムスキャン装置の一例を示す。本実施形態に係るフィルムスキャン装置は、フィルム９１のローディング機構を備える。本実施形態に係るローディング機構は、横方向レール４１及び２本の縦方向レール４２を備える。
【００４２】
フィルム９１の先端にアタッチメント４３を取り付け、フィルム９１の終端にアタッチメント４４を取り付ける。このフィルム９１を送り側ドラム１５に巻きつけ、横方向レール４１上のローディングヘッド４５にアタッチメント４３を固定する。ローディングヘッド４５を横方向レール４１に沿って巻き取り側ドラム１６付近まで移動させ、アタッチメント４３とアタッチメント固定具４６を固定する。そして、ストッパー２１及び２２を縦方向レール４２に沿って下に下げる。これにより、適度なたるみを設ける。
【００４３】
なお、中央の回転ドラム１１が停止していれば、フィルム９１がある程度止まっている状態なので、送り側ドラム１５を回して、送り側のフィルム９１をたるませてもよい。このときに、後述するセンサ２３−１及び２３−２を利用して、送り側のフィルム９１のたるみをある範囲に制御することが好ましい。
【００４４】
また、フィルムを巻き取り側ドラム１６にある程度巻き取ることも可能である。このときに、巻き取り側ドラム１６を逆回転させ、巻き戻して、巻き取り側のフィルムフィルム９１を適度にたるませることが好ましい。このときに、後述するセンサ２３−１及び２３−２を利用して、巻き取り側のフィルム９１のたるみをある範囲に制御することが好ましい。
【００４５】
図１２に、ストッパー２１及び２２を下げた後のフィルムスキャン装置の一例を示す。図５に示すような、本発明に係るフィルムスキャン装置が構成されている。
【００４６】
（実施形態５）
本実施形態に係るフィルムスキャン装置は、フィルム９１の先端にＲＦタグ５１を取り付け、フィルム９１の識別情報を取得する。図１３に、本実施形態に係るフィルム９１の先端部分及びローディングヘッド４５の拡大図を示す。
【００４７】
ローディングヘッド４５は、ＲＦタグの読み取りセンサ５２を備える。ＲＦタグの読み取りセンサ５２は、ＲＦタグ５１の識別情報を読み取る。フィルム９１とローディングとを同期して、フィルム９１の属性を記録する。フィルム９１の属性は、フィルム９１のスキャンを準備した段階で、フィルム９１に取り付けられているＲＦタグ５１に保存される。保存されているフィルム９１の属性は、アタッチメント吸着ユニット５３とともに動作するＲＦ読み取りセンサ５２によって読み取られる。
【００４８】
なお、本実施形態ではＲＦタグ５１を利用する場合について説明したが、ＲＦタグ５１に代えてＱＲコード（登録商標）を用いてもよい。
【産業上の利用可能性】
【００４９】
本発明はデジタルアーカイブが可能であるため、映画、絵画、文化財などの文化芸術関連産業に適用することができる。
【符号の説明】
【００５０】
１１：回転ドラム
１２：光源
１３：カメラ
１４：ミラー
１５：送り側ドラム
１６：巻き取り側ドラム
２１、２２：ストッパー
２３−１、２３−２：センサ
３１、３２、３４：プーリー
３３：固定軸
４１：横方向レール
４２：縦方向レール
４３、４４：アタッチメント
４５：ローディングヘッド
４６：アタッチメント固定部
５１：ＲＦタグ
５２：読み取りセンサ
５３：吸着ユニット
９１：フィルム
１１１：側面
１１２：フィルムガイド
【図１】
2014230063.tif 000003
【図２】
2014230063.tif 000004
【図３】
2014230063.tif 000005
【図４】
2014230063.tif 000006
【図５】
2014230063.tif 000007
【図６】
2014230063.tif 000008
【図７】
2014230063.tif 000009
【図８】
2014230063.tif 000010
【図９】
2014230063.tif 000011
【図１０】
2014230063.tif 000012
【図１１】
2014230063.tif 000013
【図１２】
2014230063.tif 000014
【図１３】
2014230063.tif 000015